(57)【特許請求の範囲】
【請求項１】
内周面の下部に嵌合部が環状に設けられた金属製のケースと、
前記ケースの下端部に配置されて前記ケースの下部を塞ぐ蓋本体部、および前記ケースの前記嵌合部に配置される筒状部を有する金属製の蓋体と、
前記ケースの前記嵌合部と前記蓋体の前記筒状部との間に配置されるパッキン本体部、および前記ケースの下端面と前記蓋本体部の上面との間に隙間を形成するスペーサ部を有する合成樹脂製のパッキンと、
を備えていることを特徴とする時計。
【請求項２】
請求項１に記載の時計において、前記蓋本体部には、前記パッキンの下端部が嵌合する嵌合溝が、前記蓋本体部の外周に沿って環状に設けられ、前記スペーサ部は、その厚みが前記嵌合溝の深さよりも厚く形成されていることを特徴とする時計。
【請求項３】
請求項１または請求項２に記載の時計において、前記ケースの前記嵌合部には、嵌合凹部が前記ケースの内周に沿って環状に設けられ、前記スペーサ部は、その外周が前記嵌合凹部の内周とほぼ同じ大きさで、かつ前記スペーサ部の厚みが前記嵌合凹部の高さ方向の長さよりも長く形成されていることを特徴とする時計。
【請求項４】
請求項１〜請求項３のいずれかに記載の時計において、前記パッキンには、前記蓋本体部に圧接する複数の突起部が円周方向に沿って所定間隔で設けられていることを特徴とする時計。
【請求項５】
請求項１〜請求項４のいずれかに記載の時計において、前記蓋体の前記筒状部は、前記ケースの前記嵌合部内に前記パッキンを介して圧入により嵌め込まれていることを特徴とする時計。
【請求項６】
請求項１〜請求項５のいずれかに記載の時計において、前記ケースの下端面と前記蓋本体部の上面との間には、工具が挿入する切込部が設けられていることを特徴とする時計。
【請求項７】
請求項６に記載の時計において、前記パッキンの前記スペーサ部には、切取部が前記切込部に対応して設けられていることを特徴とする時計。
【発明の詳細な説明】
【技術分野】
【０００１】
この発明は、時計に関する。
【背景技術】
【０００２】
例えば、時計においては、特許文献１に記載されているように、ケース本体と胴部とを有する時計ケースを備え、ケース本体の上部開口部に時計ガラスを取り付け、ケース本体の下部に裏蓋を複数のビスによって取り付けると共に、ケース本体と裏蓋との間に胴部を挟み付けるように構成されたものが知られている。
【先行技術文献】
【特許文献】
【０００３】
【特許文献１】特開２００９−８４９７号公報
【０００４】
このような時計では、ケース本体と裏蓋との間に胴部を挟み付ける際に、ケース本体と胴部との間にパッキンを配置すると共に、裏蓋と胴部との間にもパッキンを配置し、この状態でケース本体に裏蓋を複数のビスの締め付けによって取り付けることにより、ケース本体と裏蓋との間に胴部を挟み付けている。
【発明の概要】
【発明が解決しようとする課題】
【０００５】
しかしながら、このような時計では、ケース本体と裏蓋とが直接接触した状態で、複数のビスの締め付けによってケース本体と裏蓋とが取り付けられているため、経年変化などによって複数のビスの締付状態に差が生じる。このため、複数のビスに対応するケース本体と裏蓋との個所における接触状態に差が生じ、時計ケース全体が電気的に不安定な状態になり、時計ケース内に組み込まれるアンテナのチューニングや受信感度に支障が生じるという問題がある。
【０００６】
この発明が解決しようとする課題は、防水性を確保し、かつ電気的に安定した状態を保持することができる時計を提供することである。
【課題を解決するための手段】
【０００７】
この発明は、内周面の下部に嵌合部が環状に設けられた金属製のケースと、前記ケースの下端部に配置されて前記ケースの下部を塞ぐ蓋本体部、および前記ケースの前記嵌合部に配置される筒状部を有する金属製の蓋体と、前記ケースの前記嵌合部と前記蓋体の前記筒状部との間に配置されるパッキン本体部、および前記ケースの下端面と前記蓋本体部の上面との間に隙間を形成するスペーサ部を有する合成樹脂製のパッキンと、を備えていることを特徴とする時計である。
【発明の効果】
【０００８】
この発明によれば、合成樹脂製のパッキンによってケースの嵌合部と蓋体の筒状部との間の防水性を確保できると共に、ケースの下端面と蓋本体部の上面との間の防水性を確保できるほか、このパッキンのスペーサ部によってケースの下端面と蓋本体部の上面との間に隙間を確保できる。これにより、合成樹脂製のパッキンによって金属製のケースと金属製の蓋体との接触を防ぐことができるので、電気的に安定した状態を保持することができる。
【図面の簡単な説明】
【０００９】
【図１】この発明を腕時計に適用した第１実施形態を示した要部の拡大断面図である。
【図２】図１に示された腕時計における腕時計ケースと裏蓋との嵌合部分を示した要部の拡大断面図である。
【図３】図２に示された腕時計ケースと裏蓋との嵌合部分における各部材を示し、（ａ）はケース本体の要部を示した拡大断面図、（ｂ）は裏蓋の要部を示した拡大断面図、（ｃ）は裏蓋パッキンの要部を示した拡大断面図である。
【図４】図２に示された腕時計ケースと裏蓋との嵌合部分における切込部および切取部を示し、（ａ）は裏蓋パッキンが装着された裏蓋の９時側を示した要部の拡大平面図、（ｂ）はそのＡ−Ａ矢視における要部の拡大断面図である。
【図５】第１実施形態における裏蓋および裏蓋パッキンの第１変形例を示した要部の拡大断面図である。
【図６】第１実施形態における裏蓋パッキンの第２変形例を示した要部の拡大断面図である。
【図７】この発明を腕時計に適用した第２実施形態において、腕時計ケースと裏蓋との嵌合部分を示した要部の拡大断面図である。
【図８】図７に示された腕時計ケースと裏蓋との嵌合部分における各部材を示し、（ａ）はケース本体の要部を示した拡大断面図、（ｂ）は裏蓋の要部を示した拡大断面図、（ｃ）は裏蓋パッキンの要部を示した拡大断面図である。
【発明を実施するための形態】
【００１０】
（第１実施形態）
以下、図１〜図４を参照して、この発明を腕時計に適用した第１実施形態について説明する。
この腕時計は、図１に示すように、腕時計ケース１を備えている。この腕時計ケース１は、ケース本体２とベゼル３とを有している。ケース本体２は、ステンレスやチタンなどの金属でほぼ円筒状に形成されている。ベゼル３は、ケース本体２と同じ金属でほぼリング状に形成されている。
【００１１】
このベゼル３は、図１に示すように、ケース本体２の上端部に配置されるベゼル本体部４と、このベゼル本体部４の内周縁に設けられた足部５と、を有している。この場合、ベゼル本体部４は、その外周がケース本体２の外周よりも大きく形成されている。また、このベゼル本体部４は、その内周がケース本体２の内周よりも大きく、かつケース本体２の外周よりも小さく形成されている。足部５は、その外周がケース本体２の内周と同じ大きさで形成されている。
【００１２】
これにより、ベゼル３は、図１に示すように、足部５がケース本体２内に圧入により嵌め込まれて、ベゼル本体部４の下面がケース本体２の上面に圧接することにより、ケース本体２の上部に取り付けられるように構成されている。この場合、ケース本体２の上面とベゼル本体部４の下面との間には、防水リング６が配置されている。これにより、腕時計ケース１が構成されている。
【００１３】
この腕時計ケース１の上部開口部であるベゼル３の内部には、図１に示すように、時計ガラス７および見切り板８が取り付けられている。この場合、見切り板８は、リング状に形成され、ベゼル３内に見切りパッキン８ａを介して嵌め込まれ、ベゼル３内の底部上に配置されている。時計ガラス７は、円板状に形成され、ベゼル３内にガラスパッキン７ａを介して嵌め込まれ、見切りパッキン８ａ上に配置されている。
【００１４】
また、この腕時計ケース１の内部、つまりケース本体２の内部には、図１に示すように、時計モジュール１０が組み込まれている。この時計モジュール１０は、図示しないが、時計ムーブメント、アンテナ、回路基板などの時計機能に必要な各種の電子部品を備えている。この場合、アンテナは、ＧＰＳ用のアンテナ、または標準時刻電波を受信する長波用のアンテナなどである。
【００１５】
ところで、この腕時計ケース１の下部、つまりケース本体２の下部には、図１および図２に示すように、裏蓋１１が裏蓋パッキン１２を介して取り付けられている。この場合、ケース本体２の内周面における下部には、嵌合部１３がケース本体２の内周面に沿って環状に設けられている。この嵌合部１３は、図３（ａ）に示すように、ケース本体２の内周面側に開放されていると共に、下部がケース本体２の下端部から下側に開放され、かつ上部がケース本体２の内周面に向けて次第に上昇する傾斜面１３ａに形成されている。
【００１６】
裏蓋１１は、ケース本体２と同様、ステンレスやチタンなどの金属で形成され、図１および図２に示すように、ケース本体２の下端部に配置されてケース本体２を塞ぐ蓋本体部１４と、ケース本体２の嵌合部１３に配置される筒状部１５と、を有し、これらが一体に形成されている。蓋本体部１４は、ほぼ円板状に形成され、その外周がケース本体２の嵌合部１３の内周よりも大きく、かつケース本体２の外周よりも小さく形成されている。
【００１７】
裏蓋１１の筒状部１５は、図２および図３（ｂ）に示すように、蓋本体部１４の上面に一体に形成され、その内周がケース本体２の内周とほぼ同じ大きさで、かつ外周がケース本体２の嵌合部１３の内周よりも小さく形成されている。これにより、筒状部１５は、その径方向の肉厚がケース本体２の嵌合部１３の深さ、つまり嵌合部１３の径方向の長さよりも短く形成されている。
【００１８】
裏蓋パッキン１２は、ポリアミド樹脂（ＰＡ）などの合成樹脂で形成され、図１および図２に示すように、ほぼリング状に形成されている。この裏蓋パッキン１２は、図２および図３（ｃ）に示すように、ケース本体２の嵌合部１３の内周面と裏蓋１１の筒状部１５の外周面との間に配置されるパッキン本体部１６と、ケース本体２の下端面と蓋本体部１４の上面との間に隙間Ｓを形成するスペーサ部１７と、を有し、これらが一体に形成されている。
【００１９】
この場合、裏蓋１１の筒状部１５の外周側に位置する蓋本体部１４の上面には、図２および図３（ｂ）に示すように、裏蓋パッキン１２の下端部、つまりパッキン本体部１６とスペーサ部１７との各下端部が嵌合する嵌合溝１８が、蓋本体部１４の外周に沿って環状に設けられている。また、筒状部１５の外周面における下部には、逃し凹部１５ａが筒状部１５の外周に沿って環状に設けられている。
【００２０】
裏蓋パッキン１２のパッキン本体部１６は、図２および図３（ｃ）に示すように、その上下方向の長さである高さが嵌合溝１８の底部から裏蓋１１の筒状部１５の上端面までの高さと同じ長さに形成され、パッキン本体部１６の径方向の長さである厚みが筒状部１５の肉厚よりも少し短い長さで形成されている。
【００２１】
すなわち、パッキン本体部１６は、図２および図３（ｃ）に示すように、ケース本体２の嵌合部１３内に裏蓋１１の筒状部１５と共に配置された際に、筒状部１５の内周面がケース本体２の内周面とほぼ同一面になるように、パッキン本体部１６の径方向の厚みが設定されている。
【００２２】
また、パッキン本体部１６の外周面における上部には、図２および図３（ｃ）に示すように、呼び込み部１６ａが設けられている。この呼び込み部１６ａは、パッキン本体部１６の上部外周を斜めに削り取った傾斜面であり、パッキン本体部１６が筒状部１５と共にケース本体２の嵌合部１３に嵌め込まれる際に、パッキン本体部１６を嵌合部１３内に向けて呼び込むように構成されている。
【００２３】
裏蓋パッキン１２のスペーサ部１７は、図２に示すように、その外周が裏蓋１１の嵌合溝１８の外径方向に位置する内周と同じ大きさに形成されている。また、このスペーサ部１７は、図３（ｂ）および図３（ｃ）に示すように、その上下方向の長さである厚みＴ１が裏蓋１１の嵌合溝１８の深さＤ１よりも、少し厚く（Ｔ１＞Ｄ１）形成されている。
【００２４】
すなわち、スペーサ部１７は、図２に示すように、蓋本体部１４の嵌合溝１８内に配置された際に、スペーサ部１７の上面が蓋本体部１４の上面よりも上方に位置し、この状態でケース本体２の下端面がスペーサ部１７の上面に圧接するように形成されている。これにより、スペーサ部１７は、図２に示すように、ケース本体２の下端面と蓋本体部１４の上面との間に隙間Ｓ（＝Ｔ１−Ｄ１）を形成するように構成されている。この隙間Ｓは、約０．１ｍｍである。
【００２５】
ところで、裏蓋１１の筒状部１５の外周側に位置する蓋本体部１４の９時側の上面には、図４（ａ）および図４（ｂ）に示すように、工具Ｋが挿入する切込部１９が設けられている。この切込部１９は、蓋本体部１４の外周端部に向けて傾斜する傾斜面であり、蓋本体部１４の外周における一部、つまり９時側の個所に設けられている。これにより、切込部１９は、ケース本体２の下端面と蓋本体部１４の上面との間の隙間Ｓが外周側に向けて次第に広くなるように構成されている。
【００２６】
この場合、裏蓋パッキン１２のスペーサ部１７の一部つまり９時側に位置する個所のスペーサ部１７には、図４（ａ）および図４（ｂ）に示すように、切取部１７ａが切込部１９に対応して設けられている。これにより、工具Ｋは、裏蓋１１の筒状部１５が裏蓋パッキン１２を介してケース本体２の嵌合部１３に圧入により嵌め込まれて嵌着した状態で、切込部１９に差し込まれた際に、工具Ｋの先端がスペーサ部１７の切取部１７ａに到達しても、スペーサ部１７に接触しないように構成されている。
【００２７】
すなわち、この工具Ｋは、図４（ｂ）に示すように、その先端部の傾斜角部が蓋本体部１４の切込部１９の傾斜角度よりも大きく形成されている。これにより、工具Ｋは、その先端部が切込部１９に差し込まれてスペーサ部１７の切取部１７ａに到達する際に、ケース本体２の下面に対して蓋本体部１４の上面を押し広げることにより、裏蓋１１をケース本体２から取り外せるように構成されている。
【００２８】
次に、腕時計ケース１のケース本体２に裏蓋１１を取り付ける場合について説明する。
この場合には、まず、裏蓋１１に裏蓋パッキン１２を取り付ける。このときには、裏蓋１１の筒状部１５の外周に裏蓋パッキン１２のパッキン本体部１６を装着すると共に、筒状部１５の外周側に位置する蓋本体部１４の上面に環状に設けられた嵌合溝１８に裏蓋パッキン１２の下端部を装着する。
【００２９】
この状態では、裏蓋パッキン１２のパッキン本体部１６の下端部とスペーサ部１７の下端部とが、蓋本体部１４の嵌合溝１８内に嵌合した状態で、スペーサ部１７の上面が蓋本体部１４の上面から上方に突出して配置される。また、このときには、裏蓋パッキン１２のパッキン本体部１６の上端部が裏蓋１１の筒状部１５の上端部と同じ高さで配置される。
【００３０】
そして、裏蓋パッキン１２が装着された裏蓋１１をケース本体２の下部に取り付ける。このときには、裏蓋１１の筒状部１５を裏蓋パッキン１２と共にケース本体２の嵌合部１３内に下側から圧入によって嵌め込む。この場合には、裏蓋パッキン１２のパッキン本体部１６における外周面の上端部に呼び込み部１６ａが設けられているので、この呼び込み部１６ａによってパッキン本体部１６が裏蓋１１の筒状部１５と共にケース本体２の嵌合部１３内に円滑に嵌め込まれる。
【００３１】
このようにして、裏蓋１１がケース本体２の下部に取り付けられた状態では、パッキン本体部１６が裏蓋１１の筒状部１５とケース本体２の嵌合部１３との間に圧入された状態で嵌め込まれ、裏蓋１１の筒状部１５の内周面がケース本体２の内周面とほぼ同一面になる。このため、裏蓋１１の筒状部１５は、パッキン本体部１６によってケース本体２に接触することがなく、ケース本体２の嵌合部１３に嵌め込まれる。
【００３２】
また、この状態では、裏蓋パッキン１２のスペーサ部１７が蓋本体部１４の嵌合溝１８内に嵌合されて、スペーサ部１７の上面が蓋本体部１４の上面よりも上方に位置し、この状態でケース本体２の下端面がスペーサ部１７の上面に圧接する。これにより、スペーサ部１７は、図２に示すように、ケース本体２の下端面と蓋本体部１４の上面との間に隙間Ｓ（約０．１ｍｍ）を形成する。このため、裏蓋１１の蓋本体部１４は、スペーサ部１７によってケース本体２に接触することがなく、ケース本体２の下部に取り付けられる。
【００３３】
このように、裏蓋１１がケース本体２に接触することなくケース本体２の下部に取り付けられた状態では、裏蓋パッキン１２によって裏蓋１１とケース本体２との間の防水性が確保されると共に、耐衝撃性が確保されるほか、ケース本体２と裏蓋１１とが接触することがないので、ケース本体２と裏蓋１１とが金属で形成されていても、腕時計ケース１全体を電気的に安定な状態を確保することができる。
【００３４】
このため、この腕時計ケース１内に組み込まれた時計モジュール１０がアンテナ（図示せず）を備えていても、そのアンテナのチューニングや受信感度に支障が生じることがなく、電気的に安定した状態でアンテナのチューニングをすることができるので、チューニング作業がし易く、簡単にかつ正確にアンテナのチューニングをすることができる。
【００３５】
ところで、裏蓋１１をケース本体２から取り外す場合には、裏蓋１１の９時側に設けられた切込部１９に工具Ｋを差し込む。これにより、裏蓋１１の筒状部１５が裏蓋パッキン１２を介してケース本体２の嵌合部１３に圧入により嵌め込まれて嵌着した状態であっても、簡単に裏蓋１１をケース本体２から取り外すことができる。
【００３６】
すなわち、工具Ｋの先端部を切込部１９に差し込むことにより、工具Ｋの先端部がスペーサ部１７の切取部１７ａに到達する際に、工具Ｋによってケース本体２の下面から蓋本体部１４の上面が離れる方向に押し広げられる。このため、簡単にかつ容易に裏蓋１１をケース本体２から取り外すことができる。
【００３７】
このように、この腕時計によれば、内周面の下部に嵌合部１３が環状に設けられた金属製のケース本体２と、このケース本体２の下端部に配置される蓋本体部１４、およびケース本体２の嵌合部１３に配置される筒状部１５を有する金属製の裏蓋１１と、ケース本体２の嵌合部１３と裏蓋１１の筒状部１５との間に配置されるパッキン本体部１６、およびケース本体２の下端面と蓋本体部１４の上面との間に隙間Ｓを形成するスペーサ部１７を有する合成樹脂製の裏蓋パッキン１２と、を備えていることにより、防水性を確保し、かつ電気的に安定した状態を保持することができる。
【００３８】
すなわち、この腕時計では、合成樹脂製の裏蓋パッキン１２のパッキン本体部１６によってケース本体２の嵌合部１３と裏蓋１１の筒状部１５との間の防水性を確保できると共に、裏蓋パッキン１２のスペーサ部１７によってケース本体２の下端面と蓋本体部１４の上面との間の防水性を確保できるほか、このスペーサ部１７によってケース本体２の下端面と蓋本体部１４の上面との間に隙間Ｓを確保できる。
【００３９】
これにより、この腕時計では、合成樹脂製の裏蓋パッキン１２によって金属製のケース本体２と金属製の裏蓋１１との接触を防ぐことができるので、電気的に安定した状態を保持することができる。このため、ケース本体２内に組み込まれた時計モジュール１０がアンテナ（図示せず）を備えていても、そのアンテナのチューニングや受信感度に支障が生じることがなく、電気的に安定した状態でアンテナのチューニングをし易くすることができる。
【００４０】
この場合、裏蓋１１の蓋本体部１４には、裏蓋パッキン１２の下端部が嵌合する嵌合溝１８が、蓋本体部１４の外周に沿って環状に設けられ、裏蓋パッキン１２のスペーサ部１７は、その厚みＴ１が嵌合溝１８の深さＤ１よりも厚く（Ｔ１＞Ｄ１）形成されているので、ケース本体２の下端面と蓋本体部１４の上面との間に隙間Ｓ（＝Ｔ１−Ｄ１）を確実に形成することができ、これによりケース本体２の下端面と蓋本体部１４の上面との接触を確実に防ぐことができる。
【００４１】
また、この腕時計では、裏蓋１１の筒状部１５がケース本体２の嵌合部１３内に裏蓋パッキン１２を介して圧入により嵌め込まれていることにより、裏蓋パッキン１２によって防水性を確保できると共に耐衝撃性を確保できるほか、裏蓋１１をケース本体２に確実に取り付けることができる。このため、裏蓋１１を複数のビスでケース本体２に取り付ける必要がないので、裏蓋１１の形状が制約を受けることがなく、裏蓋１１を自由な形状で形成することができ、デザイン性の向上を図ることができる。
【００４２】
また、この腕時計では、ケース本体２の下端面と蓋本体部１４の上面との間に工具Ｋが挿入する切込部１９が設けられていることにより、裏蓋１１の筒状部１５が裏蓋パッキン１２を介してケース本体２の嵌合部１３に圧入により嵌め込まれて嵌着した状態であっても、ケース本体２と蓋本体部１４との間の切込部１９に工具Ｋを差し込むだけで、簡単にかつ容易に裏蓋１１をケース本体２から取り外すことができる。
【００４３】
この場合、裏蓋パッキン１２のスペーサ部１７には、切取部１７ａが切込部１９に対応して設けられていることにより、ケース本体２と蓋本体部１４との間の切込部１９に工具Ｋを差し込んで、裏蓋１１をケース本体２から取り外す際に、切込部１９に差し込まれた工具Ｋの先端がスペーサ部１７に当接しないように、工具Ｋの先端を切取部１７ａによって逃すことができ、これによりスペーサ部１７が工具Ｋによって傷付かないようにすることができる。
【００４４】
なお、上述した第１実施形態では、パッキン本体部１６とスペーサ部１７とを有する裏蓋パッキン１２が断面Ｌ字形状に形成されている場合について述べたが、これに限らず、例えば図５に示す第１変形例のように、パッキン本体部１６の下端部に補助パッキン部２０をスペーサ部１７よりも下側に突出させた状態で、パッキン本体部１６と同じ円周に沿って環状に形成した構成であっても良い。
【００４５】
この場合には、図５に示すように、裏蓋１１の嵌合溝１８の底部に補助パッキン部２０が嵌る環状溝２１を形成すれば良い。このような第１変形例では、補助パッキン部２０によって裏蓋パッキン１２を裏蓋１１に確実に装着させることができるので、裏蓋１１の筒状部１５をケース本体２の嵌合部１３に嵌め込む際に、裏蓋パッキン１２が位置ずれせずに、確実にかつ良好に嵌め込んで嵌着させることができると共に、より一層、耐衝撃性を確保することができる。
【００４６】
また、上述した第１実施形態では、パッキン本体部１６とスペーサ部１７とを有する裏蓋パッキン１２が単純な断面Ｌ字形状に形成されている場合について述べたが、これに限らず、例えば図６に示す第２変形例のように、裏蓋パッキン１２の下端部に複数の突起部２２を円周方向に沿って所定間隔で設けた構成であっても良い。この場合、複数の突起部２２は、半球状に形成されていることが望ましいが、必ずしも半球状である必要なく、自由な形状で形成されていても良い。
【００４７】
このような第２変形例では、裏蓋１１の蓋本体部１４に設けられた嵌合溝１８に裏蓋パッキン１２のスペーサ部１７を嵌め込んだ際に、複数の突起部２２が嵌合溝１８の底部に押し付けられ、この状態で裏蓋１１の筒状部１５をケース本体２の嵌合部１３に嵌め込んだ際に、複数の突起部２２を嵌合溝１８の底部に押し付けて圧接させることができるので、第１実施形態よりも、耐衝撃性を高めることができる。
【００４８】
さらに、上述した第１実施形態では、工具Ｋを差し込む切込部１９を蓋本体部１４の上面に設けた場合について述べたが、必ずしも切込部１９を蓋本体部１４の上面に設ける必要はなく、例えば切込部１９をケース本体２の下面に設けても良く、また蓋本体部１４の上面とケース本体２の下面との両方に設けても良い。
【００４９】
（第２実施形態）
次に、図７および図８を参照して、この発明を腕時計に適用した第２実施形態について説明する。なお、図１〜図４に示された第１実施形態と同一部分には同一符号を付して説明する。
この腕時計は、図７に示すように、ケース本体２の嵌合部１３に嵌合凹部２５を設け、これに伴って裏蓋パッキン１２に第１実施形態と異なる形状のスペーサ部２６を設けた構成であり、これ以外は第１実施形態とほぼ同じ構成になっている。
【００５０】
すなわち、ケース本体２の嵌合部１３には、図７および図８（ａ）に示すように、嵌合凹部２５がケース本体２の円周に沿って環状に形成されている。この嵌合凹部２５は、断面四角形状の凹部であり、ケース本体２に設けられた嵌合部１３の内周面側に開放されていると共に、下部がケース本体２の下端部から下側に開放されている。この場合、嵌合凹部２５は、その内周が裏蓋１１の嵌合溝１８の外径方向に位置する内周と同じ大きさで形成されている。
【００５１】
裏蓋パッキン１２は、第１実施形態と同様、ポリアミド樹脂（ＰＡ）などの合成樹脂で形成され、全体がほぼリング状に形成されている。この裏蓋パッキン１２は、図７および図８（ｃ）に示すように、裏蓋１１の筒状部１５とケース本体２の嵌合部１３との間に配置されるパッキン本体部１６と、ケース本体２の下端面と蓋本体部１４の上面との間に隙間Ｓを形成するスペーサ部２６と、を有し、これらが一体に形成されている。
【００５２】
この場合にも、パッキン本体部１６は、図７および図８（ｃ）に示すように、その上下方向の長さである高さが、裏蓋１１の嵌合溝１８の底部から裏蓋１１の筒状部１５の上端面までの高さと同じ長さに形成され、パッキン本体部１６の径方向の長さである厚みが筒状部１５の肉厚よりも少し短い長さで形成されている。
【００５３】
すなわち、このパッキン本体部１６は、図７および図８（ｃ）に示すように、ケース本体２の嵌合部１３内に裏蓋１１の筒状部１５と共に配置された際に、筒状部１５の内周面がケース本体２の内周面とほぼ同一面になるように形成されている。また、パッキン本体部１６の外周面における上部には、呼び込み部１６ａが設けられている。
【００５４】
この裏蓋パッキン１２のスペーサ部２６は、図７および図８（ｃ）に示すように、その外周が、裏蓋１１の嵌合溝１８の外径方向に位置する内周と、ケース本体２の嵌合部１３に設けられた嵌合凹部２５の内周と、ほぼ同じ大きさに形成されている。また、このスペーサ部２６は、その上下方向の長さである厚みＴ２が、蓋本体部１４の嵌合溝１８の上下方向の深さＤ１と、ケース本体２の嵌合凹部２５の上下方向の高さＦ１と、を加算した長さ（Ｄ１＋Ｆ１）よりも、少し厚く（Ｔ２＞Ｄ１＋Ｆ１）形成されている。
【００５５】
すなわち、このスペーサ部２６は、図７に示すように、蓋本体部１４の嵌合溝１８内に配置されると共に、ケース本体２の嵌合凹部２５内に配置された状態で、スペーサ部２６の下面が蓋本体部１４の嵌合溝１８の底部に圧接し、スペーサ部２６の上面がケース本体２の嵌合凹部２５内の上面に圧接し、この状態でケース本体２の下端面と蓋本体部１４の上面との間に隙間Ｓ｛＝Ｔ２−（Ｄ１＋Ｆ１）｝を形成するように構成されている。この隙間Ｓは、第１実施形態と同様、約０．１ｍｍである。
【００５６】
このような腕時計によれば、ケース本体２の嵌合部１３に嵌合凹部２５がケース本体２の円周に沿って環状に設けられ、裏蓋パッキン１２のスペーサ部２６は、その外周がケース本体２の嵌合凹部２５の内周とほぼ同じ大きさで、かつスペーサ部２６の上下方向の厚みＴ１が、蓋本体部１４の嵌合溝１８の上下方向の深さＤ１と、ケース本体２の嵌合凹部２５の上下方向の長さＦ１と、を加算した長さ（Ｄ１＋Ｆ１）よりも、少し厚く（Ｔ１＞Ｄ１＋Ｆ１）形成されているので、ケース本体２の下端面と蓋本体部１４の上面との間に隙間Ｓを確実に形成することができ、これにより金属製のケース本体２の下端面と金属製の蓋本体部１４の上面との接触を確実に防ぐことができる。
【００５７】
この場合、裏蓋パッキン１２のスペーサ部２６は、蓋本体部１４の嵌合溝１８内に配置されると共に、ケース本体２の嵌合凹部２５内にも配置された状態で、スペーサ部２６の下面が蓋本体部１４の嵌合溝１８の底部に圧接し、スペーサ部２６の上面がケース本体２の嵌合凹部２５内の上面に圧接することにより、ケース本体２の下端面と蓋本体部１４の上面との間に隙間Ｓを形成しても、スペーサ部２６によってケース本体２の下端面と蓋本体部１４の上面との間の防水性を確保することができると共に、第１実施形態よりも、耐衝撃性を高めることができる。
【００５８】
これにより、この第２実施形態の腕時計では、第１実施形態と同様、合成樹脂製の裏蓋パッキン１２によって金属製のケース本体２と金属製の裏蓋１１との接触を防ぐことができるので、電気的に安定した状態を保持することができる。このため、ケース本体２内に組み込まれた時計モジュール１０がアンテナ（図示せず）を備えていても、そのアンテナのチューニングや受信感度に支障が生じることなく、電気的に安定した状態でアンテナのチューニングをし易くすることができる。
【００５９】
なお、上述した第２実施形態においても、図５に示された第１変形例のように、裏蓋パッキン１２の下端部に補助パッキン部２０をスペーサ部１７よりも下側に突出させた状態で、パッキン本体部１６と同じ円周に沿って環状に形成することにより、裏蓋１１の筒状部１５をケース本体２の嵌合部１３に嵌め込む際に、裏蓋パッキン１２が位置ずれせずに、確実にかつ良好に嵌め込んで嵌着させるようにしても良い。
【００６０】
また、上述した第２実施形態においても、図６に示された第２変形例のように、裏蓋パッキン１２の下端部に複数の突起部２２を円周方向に沿って所定間隔で設け、複数の突起部２２を裏蓋１１の嵌合溝１８の底部に押し付けて圧接させることにより、裏蓋１１の筒状部１５をケース本体２の嵌合部１３に確実に嵌め込むようにしても良い。このように構成すれば、第２実施形態よりも、更に耐衝撃性を高めることができる。
【００６１】
また、上述した第２実施形態では、裏蓋１１の蓋本体部１４に嵌合溝１８を設け、ケース本体２の嵌合部１３に嵌合凹部２５を蓋本体部１４の嵌合溝１８と対応させて設けた場合について述べたが、必ずしも蓋本体部１４に嵌合溝１８を設ける必要はなく、ケース本体２の嵌合部１３に嵌合凹部２５を設けた構成であっても良い。
【００６２】
また、上述した第１、第２の各実施形態において、裏蓋１１をケース本体２に下側から圧入によって嵌め込む構成に加え、さらに裏蓋１１の複数個所をビス止めによりケース本体２に取り付ける構成であっても良い。
【００６３】
さらに、上述した第１、第２の各実施形態では、腕時計に適用した場合について述べたが、必ずしも腕時計である必要はなく、例えばトラベルウオッチ、目覚まし時計、置き時計、掛け時計などの各種の時計に適用することができる。また、必ずしも時計である必要はなく、携帯電話機や携帯情報端末機などの各種の電子機器にも広く適用することができる。
【００６４】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００６５】
（付記）
請求項１に記載の発明は、内周面の下部に嵌合部が環状に設けられた金属製のケースと、前記ケースの下端部に配置されて前記ケースの下部を塞ぐ蓋本体部、および前記ケースの前記嵌合部に配置される筒状部を有する金属製の蓋体と、前記ケースの前記嵌合部と前記蓋体の前記筒状部との間に配置されるパッキン本体部、および前記ケースの下端面と前記蓋本体部の上面との間に隙間を形成するスペーサ部を有する合成樹脂製のパッキンと、を備えていることを特徴とするケース構造である。
【００６６】
請求項２に記載の発明は、請求項１に記載のケース構造において、前記蓋本体部には、前記パッキンの下端部が嵌合する嵌合溝が、前記蓋本体部の外周に沿って環状に設けられ、前記スペーサ部は、その厚みが前記嵌合溝の深さよりも厚く形成されていることを特徴とするケース構造である。
【００６７】
請求項３に記載の発明は、請求項１または請求項２に記載のケース構造において、前記ケースの前記嵌合部には、嵌合凹部が前記ケースの内周に沿って環状に設けられ、前記スペーサ部は、その外周が前記嵌合凹部の内周とほぼ同じ大きさで、かつ前記スペーサ部の厚みが前記嵌合凹部の高さ方向の長さよりも長く形成されていることを特徴とするケース構造である。
【００６８】
請求項４に記載の発明は、請求項１〜請求項３のいずれかに記載のケース構造において、前記パッキンには、前記蓋本体部に圧接する複数の突起部が円周方向に沿って所定間隔で設けられていることを特徴とするケース構造である。
【００６９】
請求項５に記載の発明は、請求項１〜請求項４のいずれかに記載のケース構造において、前記蓋体の前記筒状部は、前記ケースの前記嵌合部内に前記パッキンを介して圧入により嵌め込まれていることを特徴とするケース構造である。
【００７０】
請求項６に記載の発明は、請求項１〜請求項５のいずれかに記載のケース構造において、前記ケースの下端面と前記蓋本体部の上面との間には、工具が挿入する切込部が設けられていることを特徴とするケース構造である。
【００７１】
請求項７に記載の発明は、請求項６に記載のケース構造において、前記パッキンの前記スペーサ部には、切取部が前記切込部に対応して設けられていることを特徴とするケース構造である。
【００７２】
請求項８に記載の発明は、請求項１〜請求項７のいずれかに記載されたケース構造を備えていることを特徴とする時計である。
【符号の説明】
【００７３】
１  腕時計ケース
２  ケース本体
３  ベゼル
１０  時計モジュール
１１  裏蓋
１２  裏蓋パッキン
１３  嵌合部
１４  蓋本体部
１５  筒状部
１６  パッキン本体部
１７、２６  スペーサ部
１７ａ  切取部
１８  嵌合溝
１９  切込部
２０  補助パッキン部
２１  環状溝
２２  突起部
２５  嵌合凹部
Ｓ  隙間
Ｋ  工具
【図１】
0005967156.tif 000002
【図２】
0005967156.tif 000003
【図３】
0005967156.tif 000004
【図４】
0005967156.tif 000005
【図５】
0005967156.tif 000006
【図６】
0005967156.tif 000007
【図７】
0005967156.tif 000008
【図８】
0005967156.tif 000009